(57)【要約】【課題】質量が大きく、設置後の安定性が良く、且つ製作が容易で低コストなブロック状浮魚礁用アンカーについて、落下途中および着床時の姿勢安定性を向上させる。【解決手段】上下方向に貫通孔１を設ける。【選択図】　　　図１
2004073016.tif 000002
【特許請求の範囲】
【請求項１】
上下方向に貫通孔を有するコンクリートまたは鋼製のブロックであることを特徴とする浮魚礁用アンカー。
【請求項２】
側面の周方向に、下面が外向きに傾斜した帯状の羽根状突起を設けたことを特徴とする請求項１に記載の浮魚礁用アンカー。
【請求項３】
側面の鉛直方向に羽根状板を設けたことを特徴とする請求項１に記載の浮魚礁用アンカー。
【発明の詳細な説明】
【０００１】
【発明の属する技術分野】
本発明は、浮魚礁の浮体を係留索で繋ぎ止めておくために海底に沈設される浮魚礁用アンカーに関する。さらに詳しくは、コンクリートあるいは鋼製のブロック状の浮魚礁用アンカーに関する。
【０００２】
【従来の技術】
一般に、浮魚礁用アンカーは、浮体を係留索で繋ぎ止めることを目的としており、質量が大きいことと、設置後の安定性が良いことが求められる。また、設置は、係留索と浮体を繋いだ状態の浮魚礁用アンカーを、通常、海面より１０００ｍ前後、最大２０００ｍ前後の深さまで自由落下させることで行われる。このため、浮魚礁用アンカーを確実に海底面に上向きに着床させることができるよう、落下途中および着床時の姿勢安定性が求められる。
【０００３】
従来、上記浮魚礁用アンカーとしては、質量が大きく、設置後の安定性が良く、且つ製作が容易で低コストであることから、中実のコンクリート直方体がよく用いられている。
【０００４】
【発明が解決しようとする課題】
しかしながら、上記従来の浮魚礁用アンカーは、海中落下の際に流体抵抗により前後左右上下に不規則にふらつくため、設置目標位置に対して設置誤差が大きい。このため、浮魚礁の設置場所として、設置誤差を許容できる広さの平坦な場所が必要となり、急深の海域では設置場所の確保が難しい問題がある。
【０００５】
本発明は、上記従来の問題点に鑑みてなされたもので、質量が大きく、設置後の安定性が良く、且つ製作が容易で低コストなブロック状浮魚礁用アンカーについて、落下途中および着床時の姿勢安定性を向上させることを目的とする。
【０００６】
【課題を解決するための手段】
一般に、流れに対して直角に物体を置いたとき、物体表面の流れが前方ではく離しやすく、前方ではく離することで直後にカルマン渦列を発生させ、このカルマン渦列が物体を振動させる。また、物体が流れに直角なほど、はく離は物体の前方で起こり、カルマン渦列もより大きくなって物体の直後に発生するため物体の振動が大きくなる。
【０００７】
従来の浮魚礁用アンカーの落下姿勢は、流れに対して直角におかれた平板と考えてよく、浮魚礁用アンカー表面の流れは前方ではく離し易く、前方ではく離することによって浮魚礁用アンカーの直後にカルマン渦列が発生し、このカルマン渦列が浮魚礁用アンカーを振動させることによって浮魚礁用アンカーがふらつき、設置誤差を生じる原因となっている。
【０００８】
本発明は、上記設置誤差の発生原因に鑑み、浮魚礁用アンカー後方のカルマン渦列を抑制することで、浮魚礁用アンカーの振動を抑え、もってその姿勢を安定的に維持することができるようにしたものである。
【０００９】
即ち、本発明は、上下方向に貫通孔を有するコンクリートまたは鋼製のブロックであることを特徴とする浮魚礁用アンカーを提供するものである。また、本発明は、その好ましい態様として、側面の周方向に、下面が外向きに傾斜した帯状の羽根状突起を設けたこと、および、側面の鉛直方向に羽根状板を設けたことを含むものである。
【００１０】
本発明の浮魚礁用アンカーは、単なる中実のコンクリートまたは鋼製のブロックではなく、上下方向に貫通孔を有しており、この貫通孔は、浮魚礁用アンカー落下時に内部を海水が通ることで流れを分散し、浮魚礁用アンカー後方のカルマン渦列の発生を抑制する。このため、本発明の浮魚礁用アンカーでは、振動が低減される。また、側面の羽根状突起と羽根状板は、ともにアンカー落下時の姿勢を安定させるもので、特に羽根状突起は、浮魚礁用アンカー投入直後の安定姿勢への復元を素早くする。
【００１１】
【発明の実施の形態】
次に、図面に基づいて本発明をさらに詳細に説明する。尚、以下に述べる図１〜図４において、同じ符号は同じ部材又は部位を示すものである。
【００１２】
〔第１の例〕
図１は本発明の第１の例に係る浮魚礁用アンカーを示す斜視図である。
【００１３】
本発明の浮魚礁用アンカーは、基本的にはコンクリートまたは鋼製のブロック状（角塊状）をなすもので、一般的には直方体または立方体状をなしている。
【００１４】
図示されるように、本例の浮魚礁用アンカーは、上下面が同じ大きさの正方形、四方の側面が同じ大きさの横長長方形をなす直方体で、上下面間を垂直に貫通する４つの貫通孔１を有するものとなっている。また、上面の中央部には、係留索（図示されていない）を取り付けるための連結部２が突出している。
【００１５】
本発明に係る浮魚礁用アンカーの全体形状は、例えば錐台形状などとすることもできるが、四方のバランスを均等に整えやすいことから、少なくとも上下面が同じ大きさの正方形となった直方体または立方体であることが好ましい。
【００１６】
貫通孔１は、重心を中心に四方に均等にバランス良く配置することが好ましい。貫通孔１の断面積は、浮魚礁用アンカー後方のカルマン渦列の発生抑制の観点からは、浮魚礁用アンカーが要求される質量を満たす範囲で大きい方が好ましい。また、貫通孔１の断面形状は特に制限はないが、四角形が形成容易であり、浮魚礁用アンカー落下時の振動を低減するために、貫通孔１の辺縁部３の断面が一様になるようにするのが最も良い。
【００１７】
〔第２の例〕
図２は本発明の第２の例に係る浮魚礁用アンカーを示す斜視図である。
【００１８】
本例における浮魚礁用アンカーは、各側面の周方向に羽根状突起４が設けられたものとなっている。この羽根状突起４は、本浮魚礁用アンカーの落下時の姿勢を安定させるためのもので、下面が外向きに傾斜したものとなっている。
【００１９】
上記羽根状突起４は、例えばコンクリート、鋼、アルミニウム、合成樹脂などによって形成することができ、浮魚礁用アンカー本体と一体作製しても、別体として作製後ボルト・ナットや溶接などにより取り付けても良い。
【００２０】
本例における羽根状突起４は、断面直角三角形状の棒状をなし、その斜面を下に向けて取り付けられている。但し、本発明における羽根状突起４は、下面が外向き傾斜であれば平坦面でも湾曲面でも良く、断面形状が山形の中実または中空の棒材を広く用いることができ、図３に示されるように、適宜の枠材５と板材６を組み合わせて構成することもできる。尚、断面山形とは、三角形、台形、円弧状など、基部から先端部に向かって断面が小さくなる断面形状をいう。
【００２１】
また、羽根状突起４は、浮魚礁用アンカー落下時の姿勢を安定させやすくするために、その下面が、鉛直軸との傾斜角が３０度から４５度の平坦面であることが好ましく、突出量は、浮魚礁用アンカーの厚さ（高さ）の１／３以上が好ましい。また、上記と同様の理由から、長さはアンカーの側面幅と等しいことが最も好ましいが、それ以下でも良く、位置は浮魚礁用アンカー側面高さの１／２よりも上方とすることが好ましい。
【００２２】
〔第３の例〕
図４は本発明の第３の例に係る浮魚礁用アンカーを示す斜視図である。
【００２３】
本例における浮魚礁用アンカーは、各側面の鉛直方向に羽根状板７が設けられたものとなっている。この羽根状突起４は、本浮魚礁用アンカーの落下時の姿勢を安定させるためのもので、本例においては各側面に１枚ずつ設けられているが、各側面に複数枚設けることもできる。
【００２４】
上記羽根状板７は、例えばコンクリート、鋼、アルミニウム、合成樹脂などによって形成することができ、浮魚礁用アンカー本体と一体作製しても、別体として作製後ボルト・ナットや溶接などにより取り付けても良い。
【００２５】
羽根状板７は、板状であればその形状は特に制限されないが、四角形が効率的である。また、面積が大きいほど浮魚礁用アンカーの姿勢は安定するが、逆に海流および潮汐による水平方向の流れを受けやすくなることから、羽根状板７の１枚あたりの面積は浮魚礁用アンカーの側面面積の２５〜５０％とすることが好ましい。
【００２６】
【発明の効果】
本発明の浮魚礁用アンカーは、海中落下の際の振動が小さく、また落下姿勢を安定的に維持できることでほぼ真っ直ぐに海中を落下するため、従来より設置誤差を小さくできる。従って、従来難しかった急深の海域に浮魚礁を設置することが容易になる。
【図面の簡単な説明】
【図１】本発明の第１の例に係る浮魚礁用アンカーの斜視図である。
【図２】本発明の第２の例に係る浮魚礁用アンカーの斜視図である。
【図３】羽根状突起の他の例を示す斜視図である。
【図４】本発明の第３の例に係る浮魚礁用アンカーの斜視図である。
【符号の説明】
１　貫通孔
２　連結部
３　縁辺部
４　羽根状突起
５　枠材
６　板材
７　羽根状板
【図１】
2004073016.tif 000003
【図２】
2004073016.tif 000004
【図３】
2004073016.tif 000005
【図４】
2004073016.tif 000006